(57)【要約】【課題】侵入防止柵において、漏電する危険性を少なくするために電線の間隔を広くしても、猿の侵入を効果的に防止する。【解決手段】複数の支柱１０ａが所定の間隔で地中に打ち込まれる。プレート２０ａは、支柱１０ａの上端にその下端が固定されており、支柱１０ａの上端から上方に向かって、前側に傾いて延びる。金網３０は、地表６０から支柱１０ａの上端の近傍の所定の高さまでを覆うように、各支柱１０ａの間に張設される。金網３０は、導電性を有し、地表６０に接地されている。猿ネット４０は、金網３０の上縁からプレート２０ａの上端近傍の所定の高さまでを覆うように、各プレート２０ａの間に張設される。１本以上の電線５０が、プレート２０ａに固定され、猿ネット４０に沿って架設される。電線５０は、猿ネット４０の上縁および下縁に対して平行である。電線５０に、所定の間隔で高電圧パルスが印加される（衝撃電流が流れる）。【選択図】図１
2012244907.tif 000002
【特許請求の範囲】
【請求項１】
地表から所定の第１の高さまでを覆うように張設されており、導電性を有し、地表に接地されている第１のネットと、
前記第１のネットの上縁から、前記第１の高さより高い所定の第２の高さまでを覆うように張設されており、導電性のない第２のネットと、
前記第２のネットに沿って、前記第２のネットの上縁および下縁に対して平行に架設された少なくとも１本の電線と、
前記少なくとも１本の電線に所定の間隔で高電圧パルスを印加する電源装置と、
を備えることを特徴とする侵入防止柵。
【請求項２】
前記第２のネットが、猿が掴まるとたわむように構成されていることを特徴とする請求項１に記載の侵入防止柵。
【請求項３】
前記電線が、３本以上架設されており、
最も下段の前記電線と最も上段の前記電線が、前記第２のネットの前側に配置され、
前記最も下段の電線と前記最も上段の電線を除く他の前記各電線が、前記第２のネットの後側に配置される、
ことを特徴とする請求項１または２に記載の侵入防止柵。
【請求項４】
前記電線が、３本以上架設されており、
最も下段の前記電線と最も上段の前記電線が、前記第２のネットの前側に配置され、
前記最も下段の電線と前記最も上段の電線を除く他の前記各電線が、下側から上側に向けて前記第２のネットの前側と後側とに交互に配置される、
ことを特徴とする請求項１または２に記載の侵入防止柵。
【請求項５】
前記各電線が、全て前記第２のネットの後側に配置されることを特徴とする請求項１または２に記載の侵入防止柵。
【請求項６】
前記各電線が、全て前記第２のネットの前側に配置されることを特徴とする請求項１または２に記載の侵入防止柵。
【請求項７】
前記第２のネットの上縁の上に水平方向に架設された電線を更に備えることを特徴とする請求項１ないし６のいずれか１項に記載の侵入防止柵。
【請求項８】
立設された複数の第１の支柱と、
前記第１の支柱の上端に下端が固定されており、前記第１の支柱の上端から上方に向かって、前側に傾いて延びる複数の第１のプレートと、
を備え、
前記第１のネットが、前記各第１の支柱間に張設されており、
前記第２のネットが、前記各第１のプレート間に張設されており、
前記各電線が、前記各第１のプレートによって保持されている、
ことを特徴とする請求項１ないし７のいずれか１項に記載の侵入防止柵。
【請求項９】
前記第１の支柱間に立設されており、前記第１の支柱より長い少なくとも１本の第２の支柱と、
前記第１のネットの上縁から、前記第２の支柱に沿って上方に向かって延びる下部と、当該下部の上端から前側に傾いて前記第２の支柱から離れながら上方に向かって延びる中部と、当該中部の上端から、前記第２の支柱との間に所定の間隔をあけて上方に向かって延びる上部と、当該上部の上端から前記第２の支柱に向かって延び、前記第２の支柱に固定される上端部とを有する少なくとも１本の第２のプレートと、
を備え、
前記第１のネットが、前記各第１の支柱間、前記第１の支柱と前記第２の支柱の間、および隣接している前記各第２の支柱がある場合には当該隣接している前記各第２の支柱間に張設されており、
前記第２のネットが、前記各第１のプレート間、前記第１のプレートと前記第２のプレートの間、および隣接している前記各第２の支柱がある場合には隣接している前記各第２のプレートの間に張設されており、
前記各電線が、前記各第２のプレートの下部と中部と上部とによってそれぞれ少なくとも１本ずつ保持されている、
ことを特徴とする請求項８に記載の侵入防止柵。
【請求項１０】
立設された複数の第３の支柱と、
前記第１のネットの上縁から、前記第３の支柱に沿って上方に向かって延びる下部と、当該下部の上端から、前側に傾いて前記第３の支柱から離れながら上方に向かって延びる中部と、当該中部の上端から、前記第３の支柱との間に所定の間隔をあけて上方に向かって延びる上部と、当該上部の上端から前記第３の支柱に向かって延び、前記第３の支柱に固定される上端部とを有する複数の第３のプレートと、
を備え、
前記第１のネットが、前記各第３の支柱間に張設されており、
前記第２のネットが、前記各第３のプレートの間に張設されており、
前記各電線が、前記各第３のプレートの下部と中部と上部とによってそれぞれ少なくとも１本ずつ保持されている、
ことを特徴とする請求項１ないし７のいずれか１項に記載の侵入防止柵。
【請求項１１】
立設された複数の第４の支柱を備え、
前記第１のネットと前記第２のネットが、それぞれ前記各第４の支柱間に張設されており、
前記各電線が、前記各第１の支柱によって保持されている、
ことを特徴とする請求項１ないし７のいずれか１項に記載の侵入防止柵。
【発明の詳細な説明】
【技術分野】
【０００１】
本発明は、農作物被害を防止するための農業技術に関し、特に、猿の侵入を防いで農作物の食害を防止するための侵入防止柵に関する。
【背景技術】
【０００２】
この種の侵入防止柵は、例えば、特許文献１に開示されている。
特許文献１には、侵入防止区画の境界線に沿って所定間隔で支柱を立設し、これらの支柱間にネットを張設し、ネットの上縁より上方において支柱間に複数の裸電線を架設し、この裸電線に高電圧パルスを印加する（衝撃電流を流す）電源装置を備える侵入防止柵が記載されている。裸電線は、弛まないように絶縁物（碍子）で支えられている。
【先行技術文献】
【特許文献】
【０００３】
【特許文献１】特開平６−２２５６８０号公報
【発明の開示】
【発明が解決しようとする課題】
【０００４】
裸電線に持続的に高電圧を印加すると、裸電線に触れた猿が火傷したり、死んだりするおそれがある。そこで、特許文献１に開示されている侵入防止柵では、高電圧パルスを所定の間隔で印加する。例えば、約１秒間に１回印加する。しかし、猿は敏捷性が高いため、この１秒の間に侵入防止柵を越えて、または裸電線の隙間から侵入防止柵の内側に入り込むことがある。
また、猿が裸電線の隙間から入らないように裸電線の間隔を狭くすると、裸電線が接触して漏電する危険性が増える。
【０００５】
本発明の目的は、漏電する危険性を少なくするために電線の間隔を広くしても、猿の侵入を効果的に防止することができる侵入防止柵を提供することである。
【課題を解決するための手段】
【０００６】
上記課題を解決するために、本発明の侵入防止柵は、
地表から所定の第１の高さまでを覆うように張設されており、導電性を有し、地表に接地されている第１のネットと、
前記第１のネットの上縁から、前記第１の高さより高い所定の第２の高さまでを覆うように張設されており、導電性のない第２のネットと、
前記第２のネットに沿って、前記第２のネットの上縁および下縁に対して平行に架設された少なくとも１本の電線と、
前記少なくとも１本の電線に所定の間隔で高電圧パルスを印加する電源装置と、
を備えることを特徴とする。
【０００７】
好ましくは、本発明の侵入防止柵は、
前記第２のネットが、猿が掴まるとたわむように構成されていることを特徴とする。
【０００８】
好ましくは、本発明の侵入防止柵は、
前記電線が、３本以上架設されており、
最も下段の前記電線と最も上段の前記電線が、前記第２のネットの前側に配置され、
前記最も下段の電線と前記最も上段の電線を除く他の前記各電線が、前記第２のネットの後側に配置される、
ことを特徴とする。
【０００９】
好ましくは、本発明の侵入防止柵は、
前記電線が、３本以上架設されており、
最も下段の前記電線と最も上段の前記電線が、前記第２のネットの前側に配置され、
前記最も下段の電線と前記最も上段の電線を除く他の前記各電線が、下側から上側に向けて前記第２のネットの前側と後側とに交互に配置される、
ことを特徴とする。
【００１０】
好ましくは、本発明の侵入防止柵は、
前記各電線が、全て前記第２のネットの後側に配置されることを特徴とする。
【００１１】
好ましくは、本発明の侵入防止柵は、
前記各電線が、全て前記第２のネットの前側に配置されることを特徴とする。
【００１２】
好ましくは、本発明の侵入防止柵は、
前記第２のネットの上縁の上に水平方向に架設された電線を更に備えることを特徴とする。
【００１３】
好ましくは、本発明の侵入防止柵は、
立設された複数の第１の支柱と、
前記第１の支柱の上端に下端が固定されており、前記第１の支柱の上端から上方に向かって、前側に傾いて延びる複数の第１のプレートと、
を備え、
前記第１のネットが、前記各第１の支柱間に張設されており、
前記第２のネットが、前記各第１のプレート間に張設されており、
前記各電線が、前記各第１のプレートによって保持されている、
ことを特徴とする。
【００１４】
好ましくは、本発明の侵入防止柵は、
前記第１の支柱間に立設されており、前記第１の支柱より長い少なくとも１本の第２の支柱と、
前記第１のネットの上縁から、前記第２の支柱に沿って上方に向かって延びる下部と、当該下部の上端から前側に傾いて前記第２の支柱から離れながら上方に向かって延びる中部と、当該中部の上端から、前記第２の支柱との間に所定の間隔をあけて上方に向かって延びる上部と、当該上部の上端から前記第２の支柱に向かって延び、前記第２の支柱に固定される上端部とを有する少なくとも１本の第２のプレートと、
を備え、
前記第１のネットが、前記各第１の支柱間、前記第１の支柱と前記第２の支柱の間、および隣接している前記各第２の支柱がある場合には当該隣接している前記各第２の支柱間に張設されており、
前記第２のネットが、前記各第１のプレート間、前記第１のプレートと前記第２のプレートの間、および隣接している前記各第２の支柱がある場合には隣接している前記各第２のプレートの間に張設されており、
前記各電線が、前記各第２のプレートの下部と中部と上部とによってそれぞれ少なくとも１本ずつ保持されている、
ことを特徴とする。
【００１５】
好ましくは、本発明の侵入防止柵は、
立設された複数の第３の支柱と、
前記第１のネットの上縁から、前記第３の支柱に沿って上方に向かって延びる下部と、当該下部の上端から、前側に傾いて前記第３の支柱から離れながら上方に向かって延びる中部と、当該中部の上端から、前記第３の支柱との間に所定の間隔をあけて上方に向かって延びる上部と、当該上部の上端から前記第３の支柱に向かって延び、前記第３の支柱に固定される上端部とを有する複数の第３のプレートと、
を備え、
前記第１のネットが、前記各第３の支柱間に張設されており、
前記第２のネットが、前記各第３のプレートの間に張設されており、
前記各電線が、前記各第３のプレートの下部と中部と上部とによってそれぞれ少なくとも１本ずつ保持されている、
ことを特徴とする。
【００１６】
好ましくは、本発明の侵入防止柵は、
立設された複数の第４の支柱を備え、
前記第１のネットと前記第２のネットが、それぞれ前記各第４の支柱間に張設されており、
前記各電線が、前記各第１の支柱によって保持されている、
ことを特徴とする。
【発明の効果】
【００１７】
本発明によれば、侵入防止柵において、漏電する危険性を少なくするために電線の間隔を広くしても、猿の侵入を効果的に防止することができる。
【図面の簡単な説明】
【００１８】
【図１】（Ａ）本発明の実施形態に係る侵入防止柵の構成の一例を示す側面図である。（Ｂ）本発明の実施形態に係る侵入防止柵の構成の一例を示す正面図である。
【図２】（Ａ）碍子を有するプレートの構成の一例を示す側面図である。（Ｂ）碍子の拡大図である。
【図３】猿ネットの構成の一例を示す図である。
【図４】（Ａ）結束バンドを使って猿ネットをプレートに固定する一例を示す側面図である。（Ｂ）結束バンドの一例の拡大図である。（Ｃ）結束バンドで拘束された電線と猿ネットロープの一例を示す拡大図である。（Ｄ）上端の猿ネットロープと最上端の電線が拘束された猿ネットの一例を示す図である。
【図５】（Ａ）碍子を使って猿ネットをプレートに固定する一例を示す側面図である。（Ｂ）碍子で拘束された電線と猿ネットロープの一例を示す拡大図である。
【図６】猿が電線を掴んで感電するまでの一連の動作の一例を示す図である。
【図７】猿ネットと電線の位置関係のバリエーションの例を示す図である。
【図８】（Ａ）猿ネットの上縁の上に更に水平方向に電線を架設した侵入防止柵を猿が登る様子の一例を示す図である。（Ｂ）図８（Ａ）の侵入防止柵において、猿が電線を掴む様子の一例を示す図である。
【図９】侵入防止柵の第１の変形例の構造の一例を示す側面図である。
【図１０】図１の侵入防止柵と図９の侵入防止柵とが混在した形の侵入防止柵の一例を示す図である。
【図１１】侵入防止柵の第２の変形例の構造の一例を示す側面図である。
【発明を実施するための形態】
【００１９】
以下、本発明の実施形態に係る侵入防止柵について図面を参照しながら説明する。
【００２０】
図１は、本発明の実施形態に係る侵入防止柵１ａの構成の一例を示す。図１（Ａ）と図１（Ｂ）は、それぞれ側面図と正面図である。
侵入防止柵１ａは、支柱１０ａと、プレート２０ａと、金網３０と、猿ネット４０と、電線５０と、図示されていない電源とを有している。
支柱１０ａは、例えば四角柱である。複数の支柱１０ａが所定の間隔で地中に打ち込まれる。これらの支柱１０ａは、猿の侵入を防止しようとする区域の境界線に沿って立設される。例えば、支柱１０ａは、長さが２ｍ程度であり、間隔が平地では３．５ｍ程度である。支柱１０ａの材質は導電性のある金属と導電性のない絶縁体のいずれでもよい。支柱１０ａが傾くと、金網３０や猿ネット４０の弛み等を生じるので鉛直方向に確実に立設する。図示しないが、支柱１０ａを支持する傾斜した補強柱を適宜設けてもよい。
なお、侵入防止柵１ａの両面の呼称として、猿が生息する自然地の側を「前側」と称し、猿の侵入を防止しようとする区域に面する側を「後側」または「内側」と称することとする。
プレート２０ａは、くの字形に曲がった板状の部材である。プレート２０ａの材質は導電性のある金属と導電性のない絶縁体のいずれでもよい。プレート２０ａは、支柱１０ａの上端にその下端が固定されており、支柱１０ａの上端から上方に向かって、侵入防止柵１ａの前側に傾いて延びる。プレート２０ａは、例えば、図２（Ａ）に示すように碍子２１を有している。碍子２１は、電気を通さない絶縁物であり、図２（Ｂ）に示すように、電線５０を把持する。
【００２１】
金網３０は、地表６０から支柱１０ａの上端の近傍の所定の高さまでを覆うように、各支柱１０ａの間に張設される。金網３０は、導電性を有する。金網３０は、下縁が地表６０に接触しており、例えば５０ｃｍ幅程度が地表６０を覆う。金網３０の地表６０を覆う部分は適宜のペグで地表６０に固定される。これにより、猿が侵入防止柵１ａの下をくぐり抜けることを防止することができる。
なお、支柱１０ａが例えば金属製であって導電性を有し、金網３０と支柱１０ａが電流を流すことができるように接触している場合には、金網３０は、必ずしも地表６０に接触していなくてもよい。この場合、金網３０は、支柱１０ａを介して地表６０に接地されることになる。ただし、猿の侵入を確実に防止するためには、上述したように、金網３０は、下縁が地表６０に接触しており、例えば５０ｃｍ幅程度が地表６０を覆っていることが望ましい。
金網３０は、弛みやしわのないように適宜の固定手段で支柱１０ａに固定される。なお、金網３０の目の形状、粗さ及び硬さ等は、従来の獣害防止電気柵において猿の侵入を防止９するために効果的とされているものでよい。
猿ネット４０は、金網３０の上縁からプレート２０ａの上端近傍の所定の高さまでを覆うように、各プレート２０ａの間に張設される。猿ネット４０は、樹脂等の電気を通さず、かつ、たわみやすい素材でできている。猿ネット４０の目は、猿が手でつかむことができる程度の形状と粗さを有する。猿ネット４０に猿が掴まると、猿ネット４０は大きくたわむ。
【００２２】
１本以上の電線５０が、図２に示すように、碍子２１によってプレート２０ａに固定され、猿ネット４０に沿って架設される。電線５０は、猿ネット４０の上縁および下縁に対して平行である。電線５０は、裸電線や電牧線等の電流が流れる線材である。なお、電牧線は、鋼線（裸電線）やポリワイヤー（ポリエチレンの白いひもやリボン等にステンレスの細いワイヤーを編み込んだもの）等の電流が流れる線材で構成されている。
電源は、電線５０に所定の間隔で高電圧パルスを印加する（衝撃電流を流す）。例えば、猿が金網３０に足をかけ、電線５０を手でつかんでいる状態で電線５０に高電圧パルスが印加されると、猿に電流が流れ、猿は電気ショックを受ける。
【００２３】
猿ネット４０の上下方向の幅並びに電線５０の間隔は、猿の体格を考慮し、猿が手で電線に触れたときに足が金網３０に掛かっているように設定する。例えば、金網３０の高さが約２ｍの場合、猿ネット４０の上下方向の幅は、例えば約４５ｃｍ〜５０ｃｍとする。
なお、支柱１０ａは第１の支柱の例であり、プレート２０ａは第１のプレートの例であり、金網３０は第１のネットの例であり、猿ネット４０は第２のネットの例である。
【００２４】
猿ネット４０は、図３に示すように、例えば、ネットの上端と下端に猿ネットロープ４１を有する。
猿ネット４０は、結束バンド、金属コイル、番線、Ｃリング等の専用取り付け具を使ってプレート２０ａに固定することができる。
【００２５】
図４は、結束バンド４２を使って猿ネット４０をプレート２０ａに固定する一例を示す。図４（Ａ）に示すように、上段の猿ネットロープ４１と最上段の電線５０、および下段の猿ネットロープ４１と最下段の電線５０を、図４（Ｂ）に示す結束バンド４２で把持する。具体的には、まず、結束バンド４２で作られた輪の中に、図４（Ｃ）に示すように、上段の猿ネットロープ４１と最上段の電線５０を入れて輪をしぼる。その結果、図４（Ｄ）に示すように、上段の猿ネットロープ４１と最上段の電線５０が結束バンド４２で拘束される。次に、下段の猿ネットロープ４１と最下段の電線５０も同様にして結束バンド４２で拘束する。図２に示したように、電線５０は碍子２１によってプレート２０ａに固定されているので、これにより、間接的に猿ネット４０をプレート２０ａに固定することができる。
【００２６】
また、専用取り付け具を使わなくても、碍子２１を使って猿ネット４０をプレート２０ａに固定することができる。
図５は、碍子２１を使って猿ネット４０をプレート２０ａに固定する一例を示す。まず、図５（Ｂ）に示すように、碍子２１を使って上段の猿ネットロープ４１と最上段の電線５０とを一緒に把持する。次に、同様に、碍子２１を使って下段の猿ネットロープ４１と最下段の電線５０とを一緒に把持する。これにより、猿ネット４０をプレート２０ａに固定することができる。
また、碍子２１は猿ネット４０と電線５０を一緒に把持することができる。例えば、最上段と最下段以外の電線５０、すなわち、図５における２段目と３段目の電線５０を把持している碍子２１に猿ネット４０を一緒に把持させることもできる。
【００２７】
図６は、猿７０が電線５０を掴んで感電する一連の動作の一例を示す。
図６の例の侵入防止柵１ａでは、最上段の電線５０と最下段の電線５０は猿ネット４０の前側に配置されている。また、これらを除く他の各電線５０は猿ネット４０の後側に配置されている。
最初に、図６（Ａ）に示すように、猿７０は金網３０を伝って侵入防止柵１ａを登ってくる。図６（Ｂ）に示すように、猿７０が猿ネット４０に達し、猿ネット４０を手で掴むと、猿ネット４０は猿７０の重さによって大きくたわむ。猿ネット４０がたわむと、猿７０は落下を避けようとして、図６（Ｃ）に示すように、前側にでている最上段の電線５０を掴む。このとき、猿７０の足はまだ金網３０にかかっている。このため、猿７０に電流が流れ、猿７０は感電して驚き、図６（Ｄ）に示すように、手を離して地面に落下する。
【００２８】
図７は、猿ネット４０と電線５０の位置関係のバリエーションの例を示す。
図７（Ａ）の例では、図６と同様に、最下段の電線５０と最上段の電線５０が猿ネット４０の前側に配置されており、これらを除く他の各電線５０が猿ネット４０の後側に配置されている。この位置関係では、猿７０が最下段の電線５０に触れる可能性が高く、また猿ネット４０のたわみも大きいので、猿７０が侵入防止柵１ａの内側に侵入することを防止できる効果が最も大きい。
図７（Ｂ）の例では、最下段の電線５０と最上段の電線５０が猿ネット４０の前側に配置されており、これらを除く他の各電線５０は下側から上側に向けて猿ネット４０の前側と後側とに交互に配置されている。すなわち、下側から２段目の電線５０は猿ネット４０の前側に配置され、下側から３段目の電線５０は猿ネット４０の後側に配置されている。この位置関係では、下側の２本の電線５０が猿ネット４０の前側にあるため、猿７０が下側の２本の電線５０に触れる可能性が高い。ただし、この位置関係は、図７（Ａ）の位置関係よりも猿ネット４０のたわみが小さい。
【００２９】
図７（Ｃ）の例では、各電線５０が全て猿ネット４０の後側に配置されている。この位置関係では、猿ネット４０のたわみは大きいが、猿７０が電線５０に触れる可能性が低い。
図７（Ｄ）では、各電線５０が全て猿ネット４０の前側に配置されている。この位置関係では、猿７０が電線５０に触れる可能性は高いが、猿ネット４０のたわみが小さい。
なお、図７に示した４種類の他にも猿ネット４０と電線５０を様々な位置関係で配置することができる。
【００３０】
電線５０が猿ネット４０の前側にあれば、電線５０による電気ショックの効きは良いが、不安定な猿ネット４０の特性を生かせず、猿７０に安定した状態で次の行動にうつる余裕を与える。反対に、猿ネット４０が電線５０の前側にあれば、猿ネット４０のたわみが大きいため、猿７０が猿ネット４０を掴む蓋然性が高くなるが、猿ネット４０の裏にある電線５０はあまり機能しない。
同一の位置関係が長時間続くと、猿７０がその位置関係に慣れて猿７０の侵入を防止する効果が小さくなるおそれがある。ある位置関係で猿７０の侵入を防げなくなった場合には、猿ネット４０と電線５０の位置関係を他のものに変更することにより、侵入を防止する効果を回復することができる。
【００３１】
これまで電線５０の隙間を猿ネット４０で全て覆う例について説明した。これらの例は猿７０が侵入しようとする隙間を残さないという考え方に基づくが、猿７０が電線５０に接触せずに柵を超えてしまう可能性もある。
そこで、図８に示すように、猿ネット４０の上縁の上に、更に水平方向に電線５０を架設してもよい。すなわち、最も上の電線５０と上から２段目の電線５０の間は猿ネット４０で覆わずに、それ以外の各電線５０の間の隙間を猿ネット４０で覆う。図８（Ａ）に示すように、猿７０は金網３０を伝って侵入防止柵１ａを登る。猿ネット４０に達した猿７０は、図８（Ｂ）に示すように、最も上の電線５０と上から２段目の電線５０の間から侵入しようとして最も上の電線５０に触れる。
このように、猿ネット４０の上縁の上に更に電線５０を配置することにより、猿７０が電線５０に触れる可能性を高くすることができる。
【００３２】
図９は、侵入防止柵の第１の変形例１ｂの構造の一例を示す。
侵入防止柵１ｂは、支柱１０ｂと、プレート２０ｂと、金網３０と、猿ネット４０と、電線５０と、図示されていない電源とを有している。
金網３０と猿ネット４０と電線５０と電源は、侵入防止柵1aと侵入防止柵１ｂとで同一である。侵入防止柵1aと侵入防止柵１ｂで同一の点については説明を省略し、以下、侵入防止柵1aと侵入防止柵１ｂとで異なる点について説明する。
【００３３】
支柱１０ｂとプレート２０ｂの材質は導電性のある金属と導電性のない絶縁体のいずれでもよい。
金網３０は、地表６０から支柱１０ｂの途中の所定の高さまでを覆うように、各支柱１０ｂの間に張設される。
プレート２０ｂは、金網３０の上縁から、支柱１０ｂに沿って上方に向かって延びる下部と、下部の上端から、前側に傾いて支柱１０ｂから離れながら上方に向かって延びる中部と、中部の上端から、支柱１０ｂとの間に所定の間隔をあけて上方に向かって延びる上部と、上部の上端から支柱１０ｂに向かって延び、支柱１０ｂに固定される上端部とを有する。
猿ネット４０は、金網３０の上縁からプレート２０ｂの上部の上端近傍の所定の高さまでを覆うように、各プレート２０ｂの間に張設される。
電線５０は、プレート２０ｂの下部と中部と上部にそれぞれ少なくとも１本ずつ保持され、猿ネット４０に沿って架設される。
侵入防止柵１ｂにおいても、侵入防止柵１ａと同様に、猿ネット４０と電線５０は図７に示すような様々な位置関係で配置することができる。
また、侵入防止柵１ｂにおいても、侵入防止柵１ａと同様に、図８に示すように、猿ネット４０の上縁の上に、更に水平方向に電線５０を架設してもよい。
【００３４】
侵入防止柵１ｂは、プレート２０ｂの上端が支柱１０ｂに固定されるため、侵入防止柵１ａに比べて堅牢である。このため、侵入防止柵１ｂは例えば降雪地帯での使用に適する。
一方、侵入防止柵1aは、支柱１０ａが短くて済み、猿ネット４０がたわんだとき猿７０に与える恐怖感が侵入防止柵１ｂより大きく、猿７０の侵入を防止する効果が高い。
なお、支柱１０ｂは第２の支柱と第３の支柱の例であり、プレート２０ｂは第２のプレートと第３のプレートの例である。
【００３５】
図１０に示すように、侵入防止柵1aと侵入防止柵1ｂとが混在した形の侵入防止柵を構成することもできる。
この場合、金網３０と猿ネット４０の高さを一定に揃えるために、支柱１０ｂは支柱１０ａより長くなる。
金網３０は、各支柱１０ａの間、支柱１０ａと支柱１０ｂの間、および隣接している支柱１０ｂがある場合にはそれら隣接している支柱１０ｂの間に張設される。
猿ネット４０は、プレート２０ａの間、プレート２０ａとプレート２０ｂの間、および隣接している支柱１０ｂがある場合には隣接しているプレート２０ｂの間に張設される。
電線５０は、猿ネット４０に沿って架設される。電線５０は、猿ネット４０の上縁および下縁に対して平行である。
例えば、コーナー等の力のかかる場所では侵入防止柵1ｂを使用し、直線部分等では侵入防止柵1ａを使用することにより、堅牢でありながら猿７０の侵入を防止する効果の高い侵入防止柵とすることができる。
【００３６】
図１１は、侵入防止柵の第２の変形例１ｃの構造の一例を示す。
侵入防止柵１ｃは、支柱１０ｃと、金網３０と、猿ネット４０と、電線５０と、図示されていない電源とを有している。
金網３０と猿ネット４０と電線５０と電源は、侵入防止柵1aと侵入防止柵１ｃで同一である。侵入防止柵1aと侵入防止柵１ｃで同一の点については説明を省略し、以下、侵入防止柵1aと侵入防止柵１ｃとで異なる点について説明する。
【００３７】
侵入防止柵１ｃは、プレート２０ａやプレート２０ｂを有していない。また、支柱１０ｃの材質は導電性のある金属と導電性のない絶縁体のいずれでもよい。
猿ネット４０は各支柱１０ｃの間に張設される。すなわち、金網３０は、地表６０から支柱１０ｃの途中の所定の高さまでを覆うように、各支柱１０ｃの間に張設される。また、猿ネット４０は、金網３０の上縁から支柱１０ｃの上端近傍の所定の高さまでを覆うように、各支柱１０ｃの間に張設される。
１本以上の電線５０が、図示しない碍子によって支柱１０ｃに保持され、猿ネット４０に沿って架設される。
侵入防止柵１ｃにおいても、侵入防止柵１ａと同様に、猿ネット４０と電線５０は図７に示すような様々な位置関係で配置することができる。
また、侵入防止柵１ｃにおいても、侵入防止柵１ａと同様に、図８に示すように、猿ネット４０の上縁の上に、更に水平方向に電線５０を架設してもよい。
侵入防止柵１ｃは、侵入防止柵１ａに比べて猿７０の侵入を防止する効果は低いが、構造がシンプルで施工が容易である。
なお、支柱１０ｃは第４の支柱の例である。
【００３８】
なお、上述した実施形態では、電線５０は碍子２１によってプレート２０ａや支柱１０ｃ等に固定されるとしたが、絶縁物であって電線５０を把持できるものであれば、碍子２１の代わりに用いることができる。また、プレート２０ａや支柱１０ｃ等が絶縁物で構成されている場合には、電線５０を把持できるものであれば、電気を通す素材でできていても碍子２１の代わりに用いることができる。
【００３９】
以上説明したように、本発明によれば、侵入防止柵において、漏電する危険性を少なくするために電線の間隔を広くしても、猿の侵入を効果的に防止することができる。
すなわち、猿ネットは電気を通さない素材、例えば樹脂等でできているので、電線を流れる電気が猿ネットで漏電することはない。漏電の危険性を少なくするために電線の間隔を広くしても猿ネットで電線の間の隙間を埋めているので、猿が電線の間から入り込むことはない。
また、猿が猿ネットを掴むと猿ネットは大きくたわむので、猿が感電する間もなく侵入防止柵を一気に駆け上がることは困難である。また、怖がる猿は、たわみの少ない電線を掴むため、感電して電気ショックを受ける蓋然性が高くなる。このため、本発明に係る侵入防止柵は、猿の侵入を効果的に防止することができる
【００４０】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００４１】
１ａ、１ｂ、１ｃ…侵入防止柵、１０ａ、１０ｂ、１０ｃ…支柱、２０ａ、２０ｂ…プレート、２１…碍子、３０…金網、４０…猿ネット、４１…猿ネットロープ、４２…結束バンド、５０…電線、６０…地表、７０…猿
【図１】
2012244907.tif 000003
【図２】
2012244907.tif 000004
【図３】
2012244907.tif 000005
【図４】
2012244907.tif 000006
【図５】
2012244907.tif 000007
【図６】
2012244907.tif 000008
【図７】
2012244907.tif 000009
【図８】
2012244907.tif 000010
【図９】
2012244907.tif 000011
【図１０】
2012244907.tif 000012
【図１１】
2012244907.tif 000013